(57)【要約】【課題】内枠の開放を確実に制限できつつ、視認による不正行為の抑止力と、遊技機島におけるスペースの有効利用と、の双方を同時に満たす遊技場用椅子を提供することを目的とする。【解決手段】  遊技者が腰掛ける着座部１０２と、着座部１０２を支持する脚部２と、着座部１０２に対して立設する背もたれ部１０３を有し、着座部１０２を遊技場の床面に対して相対的に傾倒させることによって、背もたれ部１０３が遊技機２００のガラス枠２０６に近接又は当接する姿勢に拘持することによって、ガラス枠２０６の開放度を規制する構成を有する。【選択図】図１２
2013111101.tif 000002
【特許請求の範囲】
【請求項１】
多数の遊技機が並べられた遊技場において、
各遊技機に対応するように遊技機の正面に設置される遊技場用椅子であって、
遊技者が腰掛ける着座部と、着座部を支持する脚部と、着座部に対して立設する背もたれ部と、を有し、
着座部は、遊技場の床面に対して相対的に傾倒可能であり、
着座部は、遊技機に対して近接方向に傾倒した固定姿勢と、
遊技者が着座可能な腰掛け姿勢と、をとるものであり、
少なくとも、着座部の姿勢を固定姿勢に拘持可能であることを特徴とする遊技場用椅子。
【請求項２】
前記脚部は、遊技場床面固定部と着座固定部と姿勢維持部とを有し、
着座固定部は、遊技場床面固定部に対して相対的に傾倒可能であり、
姿勢維持部は、少なくとも着座部の姿勢を固定姿勢に拘持することを特徴とする請求項１に記載の遊技場用椅子。
【請求項３】
前記固定姿勢と前記腰掛け姿勢の切り替えは、自動的に行われることを特徴とする請求項１又は２に記載の遊技場用椅子。
【発明の詳細な説明】
【技術分野】
【０００１】
本発明は、遊技場用の椅子に関するもので、特に遊技場におけるぱちんこ機やスロット機等の遊技機の内枠の不正開放を防止する機能を備えた遊技場用椅子に関する。
【背景技術】
【０００２】
ぱちんこ機やスロット機等の遊技機が設置された遊技場では、閉店後に外部の者が不正に遊技機の内枠を開放し、当該遊技機に搭載された正規ロムを不正ロム（所謂裏ロム）にすり替える行為による不正行為が頻発している。
【０００３】
一般的に、遊技機に不正ロムが取り付けられると、遊技媒体を規定量以上払い出したり、公正な抽選が制御できなくなったり等の不具合が発生する。即ち、この不具合によって、遊技場の経営者は、大きな損害を被るため、従来からこの不正行為を防止する対策が取られてきた。この対策の１つの方策として、遊技機の内枠の開放の制限を強化することが提案されている。例えば、近年では、遊技機島の内部側から遊技機の内枠の開放を制限するロック機構（以下、内部ロック機構ともいう）や遊技機島の外部側から遊技機の内枠の開放を制限するロック機構（以下、外部ロック機構ともいう）が普及している。
例えば、特許文献１，２にそれらの技術が開示されている。
【先行技術文献】
【特許文献】
【０００４】
【特許文献１】特許３０３９７７２号公報
【特許文献２】特開２０１１−０７２５７９号公報
【発明の概要】
【発明が解決しようとする課題】
【０００５】
しかしながら、従来技術においては、いずれのロック機構であっても、内枠の開放を確実に制限できるが、視認による不正行為の抑止力と、遊技機島におけるスペースの有効利用と、の双方を同時に満足するものではなかった。即ち、内部ロック機構は、ロック機構が遊技機島の内部の空きスペースに設けられているため、ロック機構の設置が遊技機の設置スペースを圧迫することなく、遊技機島のスペースを有効利用できる。しかしながら、ロック機構自体が、外部から視認できないため、視認による不正行為の抑止力はほとんどない。
一方、外部ロック機構は、ロック機構自体が外部から視認できるため、視認による不正行為の抑止力が有効に働く反面、各遊技機に隣接する１つの機器として設置するため、遊技機島に当該ロック機構を設置するスペースが必要となっている。即ち、ロック機構自体が遊技機島の遊技機の設置スペースを圧迫し、遊技機島のスペースを有効利用できない。
このように、従来技術において、いずれのロック機構であっても、内枠の開放を確実に制限できるが、不正行為の抑止力と、遊技機島におけるスペースの有効利用と、の双方を同時に満足するものではないため、遊技場経営者からは、不正行為の抑止力と、スペースの有効利用の双方を備えたロック機構の開発の要望があった。
【０００６】
そこで、本発明では、従来技術の問題点に鑑み、内枠の開放を確実に制限できつつ、視認による不正行為の抑止力と、遊技機島におけるスペースの有効利用と、の双方を同時に満たす遊技場用椅子を提供することを目的とする。
【課題を解決するための手段】
【０００７】
本発明者は、上記した課題を解決すべく、遊技機と一対となって備えられており、かつ、遊技機島外に設置されている部材にロック機構を設けることを試みた。
【０００８】
一般的に、遊技場における椅子は、遊技者が着座する着座部と、着座部を支持する脚部と、着座部に対して立設する背もたれ部と、が備えられており、当該脚部が遊技場の床面に固定されている。
【０００９】
本発明者は、この椅子の背もたれ部を遊技場の床面に対して相対的に傾倒させることにより、遊技機に当接又は、近接させ、遊技機の内枠の開放を防止することを考えた。
【００１０】
上記の発想をもとに試行錯誤を繰り返して導き出された請求項１に記載の発明は、多数の遊技機が並べられた遊技場において、各遊技機に対応するように遊技機の正面に設置される遊技場用椅子であって、遊技者が腰掛ける着座部と、着座部を支持する脚部と、着座部に対して立設する背もたれ部と、を有し、着座部は、遊技場の床面に対して相対的に傾倒可能であり、着座部は、遊技機に対して近接方向に傾倒した固定姿勢と、遊技者が着座可能な腰掛け姿勢と、をとるものであり、少なくとも、着座部の姿勢を固定姿勢に拘持可能であることを特徴とする遊技場用椅子である。
【００１１】
かかる構成によれば、着座部は、遊技場の床面に対して相対的に傾倒可能であり、着座部は、遊技機に対して近接方向に傾倒した固定姿勢と、遊技者が着座可能な腰掛け姿勢と、をとるものであり、少なくとも、着座部の姿勢を固定姿勢に拘持可能である。即ち、固定姿勢においては、着座部が、遊技場の床面に対して相対的に傾倒した姿勢を取る。言い換えれば、着座部に立設した背もたれ部は、遊技機に近づき、遊技機に対して近接又は当接した姿勢を取る。そして、当該固定姿勢に拘持可能であり、所定の距離（０も含む）を開けて遊技機のガラス枠に近接した状態で維持することが可能である。そのため、例え、不正者が、遊技機の内枠を開放し、遊技機に不正ロムを取り付けようとしても、背もたれ部がガラス枠に当接され、開度が規制される。それ故に、不正者は、遊技機の内枠を開けることができない。
【００１２】
また、固定姿勢において、着座部は遊技機に対して近接方向に傾倒した姿勢をとるため、遊技場管理者は、遊技場用椅子が固定姿勢であるのかどうかを視認することが可能であり、ロック状態にし忘れることがない。
また、遊技機島にロック機構を設けないため、遊技機島にスペースを設ける必要がない。即ち、遊技機島のスペースを演出等に用いることができ、有効利用することが可能である。
【００１３】
請求項２に記載の発明は、前記脚部は、遊技場床面固定部と着座固定部と姿勢維持部とを有し、着座固定部は、遊技場床面固定部に対して相対的に傾倒可能であり、姿勢維持部は、少なくとも着座部の姿勢を固定姿勢に拘持することを特徴とする請求項１に記載の遊技場用椅子である。
【００１４】
かかる構成によれば、前記脚部は、遊技場床面固定部と着座固定部と姿勢維持部とを有し、着座固定部は、遊技場床面固定部に対して相対的に傾倒可能であり、姿勢維持部は、少なくとも着座部の姿勢を固定姿勢に拘持する。即ち、脚部から傾倒する。脚部から傾倒するため、腰掛け姿勢において、例え、背もたれ部の天地方向の長さが短い場合であっても、背もたれ部を遊技機に近接させることが可能である。
【００１５】
また、前記固定姿勢と前記腰掛け姿勢の切り替えは、自動的に行われることが好ましい（請求項３）。
【発明の効果】
【００１６】
着座部を遊技場の床面に対して相対的に傾倒させることによって、遊技機の外枠の開放を防止する。それ故に、不正者は遊技機の外枠を開放することができず、不正を行うことができない。また、遊技機島にロック機構を設ける必要がないので、遊技機島のスペースが圧迫されることがない。
【図面の簡単な説明】
【００１７】
【図１】遊技場の状況を示す説明図である。
【図２】遊技者が遊技機で遊技している状況を示す説明図である。
【図３】遊技機のガラス枠と内枠を外枠から開放した際の概念図である。
【図４】本発明の第１実施形態に係る遊技場用椅子の斜視図である。
【図５】図４の要部の分解斜視図である。
【図６】図５の軸受け部を表す斜視図である。
【図７】図５の蓋部を別視野から視た斜視図である。
【図８】図４の遊技場用椅子の姿勢を制御する制御手段のブロック図である。
【図９】図５の遊技場用椅子の要部の姿勢の変化を表す説明図であり、（ａ）から（ｃ）は所定時間での位置関係を表す。
【図１０】図４の遊技場用椅子の姿勢の変化を表す説明図であり、（ａ）から（ｃ）は所定時間での位置関係を表す。
【図１１】図５の要部の一部を組み立てた分解斜視図である。
【図１２】図４の遊技場用椅子の固定姿勢における説明図である。
【図１３】本発明の第２実施形態に係る遊技場用椅子の要部の分解斜視図である。
【図１４】図１３の姿勢維持部を表すＡ−Ａ断面図である。
【図１５】図１３の遊技場用椅子の要部の姿勢の変化を表す説明図であり、（ａ）から（ｃ）は所定時間での位置関係を表す。
【図１６】本発明の第３実施形態に係る遊技場用椅子の斜視図である。
【図１７】図１６の要部を拡大した概念図である。
【発明を実施するための形態】
【００１８】
以下、本発明の実施形態について詳細に説明する。
なお、以下の説明において、特に断りがない限り、上下左右の位置関係は、図４の通常の設置位置（腰掛け姿勢）を基準に説明する。
【００１９】
本実施形態の遊技場用椅子１は、主に遊技場の床面に設置されるものである。本実施形態の遊技場用椅子１の構成に先立って、遊技場の構造について説明する。
遊技場は、主に複数の遊技機（ぱちんこ機やスロット機等）２００を１つの群とした所謂遊技機島２０１が複数配されている。そこで、以下の説明においては、理解を容易にするために、１つの遊技機島２０１に注目して説明する。なお、本実施形態においては、遊技機２００の具体例として、ぱちんこ機の場合について述べる。
【００２０】
即ち、図１に示すように、遊技機島２０１においては、所定台数分（図１では５台分×２）の遊技機取り付け部２０２が設けられており、その各遊技機取り付け部２０２に１台ずつ遊技機２００が設置されている。具体的には、遊技機島２０１においては、所定の台数の遊技機２００が２列（図１の正面側に１列、後面側に１列）に配され、各列に遊技機２００が並設されている。そして、各遊技機２００に対向する位置に遊技者が着座可能な遊技場用椅子１（図２）が１脚ずつ配置されている。
遊技機２００は、図３のように外枠２０３と内枠２０５とガラス枠２０６の３つの枠で骨組みされている。外枠２０３は、遊技機島２０１の遊技機取り付け部２０２に固定される枠であり、その内部に内枠２０５を挿入可能となっている。内枠２０５には、遊技機２００を構成する基板等の制御部材が内蔵されており、その前面には、ガラス板を備えたガラス枠２０６が設けられている。内枠２０５は外枠２０３に対して、鍵等の固定部材によって開閉自在となっている。
ところで、上記したように、不正者は、遊技機２００の内枠２０５を外枠２０３から開放し、不正ロムを正規ロムに取り替えて不正行為を行うことがある。そのため、遊技場の経営者らは、不正行為によって、莫大な損失を受けたり、遊技の公平性が損なわれたりするおそれがあった。
【００２１】
そこで、本発明の遊技場用椅子１は、本発明の特徴たる遊技機２００の内枠２０５の開放を防止する機能を有している。以下、遊技場用椅子１について説明する。
まず、遊技場用椅子１の構成について説明する。
本実施形態にかかる遊技場用椅子１は、着座部１０２が遊技機２００に対して近接方向に傾倒した固定姿勢（図１２）と、遊技者が着座可能な腰掛け姿勢（図４）をとる。
【００２２】
遊技場用椅子１は、図４のように遊技者が着座する着座部１０２と、着座部１０２を支持する脚部２と、着座部１０２に対して立設する背もたれ部１０３を有している。
【００２３】
着座部１０２は、遊技者が着座時に殿部が載置される部位である。着座部１０２は、腰掛け姿勢において、遊技場の床面に対して水平に配されている。
【００２４】
背もたれ部１０３は、着座部１０２に対してほぼ垂直に設けられるもので、金属又は樹脂等で構成された略Ｌ字状の基材１０４で着座部１０２と連結されている。
背もたれ部１０３の長さＨは、固定姿勢（図１２）において、背もたれ部１０３の先端が遊技機２００の膳板の先端よりも遊技機２００側に進入可能な長さとなっている。
【００２５】
本実施形態にかかる遊技場用椅子１は、脚部２に特徴的な構造を有する。
以下、脚部２について詳説する。
脚部２は、腰掛け姿勢において、着座部１０２及び背もたれ部１０３を遊技場の床面から所定の高さに維持できる支持部材である。
脚部２は、遊技場床面固定部３と着座固定部５と姿勢維持部６を有している。遊技場床面固定部３は、遊技場の床面に垂直に立設される部位であり、筒状の形状をしている。内部には図示しない電気配線が挿通されている。
着座固定部５は、着座部１０２の下面に接続されており、着座部１０２を支持している。
姿勢維持部６は、図５のように筐体部７と、蓋部８と、筐体部７の内部に配されるモーター部１０と、モーター部１０に接続され蓋部８の姿勢を変形する姿勢形成部１１とを有する。
筐体部７は、略長方形状の筐体であり、底面部１２と底面部１２の四辺から上方へ立設した側壁部１５とによって形成されている。即ち、筐体部７は、底面部１２と側壁部１５に囲まれた設置空間１６を有している。設置空間１６は、上方に開放した空間であり、仕切り板１３と、モーター部１０と、姿勢形成部１１を内蔵可能となっている。
底面部１２の下面は、遊技場床面固定部３の上端面と接続されている。
筐体部７の短辺に接続される側壁部１５ｂの上端面には、固定穴３２が複数設けられている。
【００２６】
また、側壁部１５ｂの内側面には、略中央位置にモーター軸部２１を挿入可能な軸受け穴３３が設けられている。軸受け穴３３は、有底穴であることが好ましい。そして、側壁部１５ｂの軸受け穴３３近傍には、スイッチ部２５が設けられている。スイッチ部２５は側壁部１５ｂの軸受け穴３３の下方位置に設けられている。
スイッチ部２５は、公知のリミットスイッチである。即ち、スイッチ部２５が押圧されると、所定の信号を後述する制御基板４５に送信する。
【００２７】
筐体部７の内部に目を移すと、モーター部１０は、モーター１８と、モーター１８の回転軸（図示しない）と一体となって回転するモーター軸部２１とによって形成されている。
モーター１８は、公知のモーターが用いられている。具体的にはサーボロック機能を有した交流モーターを採用できる。モーター軸部２１は、公知のねじと同様の軸であり、周方向に螺旋状の溝２２が形成されている。モーター１８の回転軸（図示しない）と連続しており、一体となっている。
【００２８】
仕切り板１３は、正面視逆「Ｕ」字状の板状体であり、下面から中央に向かって切り欠き部２４を有している。切り欠き部２４内には、モーター軸部２１を挿通可能となっている。
仕切り板１３の側壁部１５ｂ側側面には、スイッチ部３９が設けられている。
スイッチ部３９は、公知のリミットスイッチである。即ち、スイッチ部２５と同様、スイッチ部３９が押圧されると、所定の信号を後述する制御基板４５に送信する。
【００２９】
姿勢形成部１１は、モーター軸部２１と接続される軸受け部２６と、軸受け部２６の上端面に接続された突っ張り部２７、から形成される。
軸受け部２６は、図６のように長方形状の板材であり、中央に部材厚方向（モーター軸部２１の軸芯方向）に貫通した係合孔２８を有している。係合孔２８は、内壁面に螺旋状の溝３０を有しており、モーター軸部２１の溝２２と係合可能となっている。
また、軸受け部２６は、部材厚方向に延伸した固定穴３８を有している。固定穴３８は有底穴であることが好ましい。固定穴３８は、公知の締結要素を挿通可能であり、ヒンジ部３１を固定可能となっている。
【００３０】
突っ張り部２７は、図５のように長尺状の長板であり、長手方向両端部にはそれぞれ、複数の固定穴４１，４２を有している。固定穴４１，４２は、公知の締結要素を挿通可能であり、ヒンジ部２９，３１を固定可能となっている。
【００３１】
蓋部８に目を移すと、蓋部８は、長方形状の板状体であり、筐体部７の開口を覆うことが可能となっている。蓋部８は、腰掛け姿勢において、図５，７のように側壁部１５ｂの固定穴３２に対応する位置及び後述する突っ張り部２７の固定穴４１に対応する位置にそれぞれ固定穴３６，固定穴３７が設けられている。固定穴３６は、それぞれ公知の締結要素を挿通可能であり、ヒンジ部２０を固定可能となっている。即ち、筐体部７と蓋部８は、ヒンジ部２０を介して接続されており、ヒンジ部２０を支点として回動可能となっている。また、突っ張り部２７と蓋部８は、ヒンジ部２９を介して接続されており、ヒンジ部２９を支点として回動可能となっている。
【００３２】
ここで、本発明の遊技場用椅子１は、ホールコンピューター３４やリモコン４０から発せられる信号によってモーター１８を駆動し、腰掛け姿勢と固定姿勢を切り替えることが可能である。
そこで、遊技場用椅子１に接続される制御手段４３について説明する。
遊技場用椅子１に接続される制御手段４３は、図８のようにリモコン４０又はホールコンピューター３４やモーター１８から送られる信号を受信することによって制御している。
ホールコンピューター３４は、遊技機２００の稼働状況、並びに、貸出機に投入された紙幣の有価価値や、有価媒体からの遊技球の貸し出しに伴って消費された有価価値の有価情報等に基づいて遊技場における売り上げ等を管理するコンピューターである。
リモコン４０は、公知のリモコン４０と同様のものである。所定の信号を受信部４４に送り、制御基板４５に指令を送ることが可能である。
【００３３】
以下、制御手段４３の各構成部材について説明する。
インターフェース３５は、インターフェース機能を果たす中継基板であり、制御基板４５と外部の機器とを電気的に接続されている。
受信部４４は、リモコン４０から発信される電波や光、赤外線等の信号を受信するセンサーである。
【００３４】
続いて、各姿勢における遊技場用椅子１の各部材の位置関係、特に姿勢維持部６の位置関係について、主に図９，１０を参照しながら説明する。
説明の都合上、まず腰掛け姿勢について説明する（図９（ａ），図１０（ａ））。
腰掛け姿勢において、設置空間１６内にモーター部１０が設置されている。
このとき、モーター１８の回転軸は、底面部１２に平行となっている。モーター１８は、図１１のように側壁部１５ａ，１５ｃによって挟持されている。また、側壁部１５ａ，１５ｃは、軸受け部２６の幅方向ｗの動きを規制している。即ち、軸受け部２６は、モーター軸部２１の回転方向にずれることなく、長手方向ｌに移動可能となっている。
突っ張り部２７は、仕切り板１３上に載置されており、底面部１２とほぼ平行となっている。突っ張り部２７は、ヒンジ部３１を介して、軸受け部２６と接続されている。軸受け部２６の係合孔２８の溝３０（図５参照）とモーター軸部２１の溝２２（図５参照）が螺合している。突っ張り部２７は、ヒンジ部２９を介して、蓋部８と接続されている。突っ張り部２７に接続されるヒンジ部２９の接続部位は、筐体部７に接続されるヒンジ部３１の接続部位に対して長手方向ｌに対向する位置となっている。
【００３５】
モーター軸部２１の先端（モーター１８と対向する側）は、側壁部１５ｂの軸受け穴３３内に挿入されている。即ち、軸受け穴３３は、モーター軸部２１の周方向のズレを規制している。
【００３６】
また、仕切り板１３の切り欠き部２４の内部には、モーター軸部２１が挿通されている。モーター軸部２１は、仕切り板１３の切り欠き部２４に接触していない。スイッチ部３９は、仕切り板１３を介してモーター１８に対向する側に配されている。
【００３７】
次に、固定姿勢への変更動作について、一般的な使用手順に沿って説明する。
遊技場管理者は、ホールコンピューター３４又はリモコン４０を操作する。ホールコンピューター３４又はリモコン４０から、固定姿勢への変更の指令が発せられると、モーター１８が駆動し、モーター軸部２１が回転する。
そして、軸受け部２６は、その回転に合わせて、モーター軸部２１の溝２２に沿ってモーター１８と近接する方向に移動する（図９（ａ）→図９（ｂ）→図９（ｃ））。このとき、幅方向ｗの動きを規制されているため、軸受け部２６の姿勢は変わらず、底面部１２に立設した姿勢のまま、平行移動する。そして、軸受け部２６の移動に伴って、突っ張り部２７の水平面に対する角度αが大きくなっていく。即ち、軸受け部２６の移動に伴い、突っ張り部２７が徐々に垂直方向に立って行く（図１０（ａ）→図１０（ｂ）→図１０（ｃ））。
そして、軸受け部２６が仕切り板１３に近づき、スイッチ部３９に接触すると、ホールコンピューター３４に信号が送信され、モーター１８の駆動を停止する。このとき、遊技場用椅子１は、固定姿勢をとる（図９（ｃ），図１０（ｃ），図１２）。
このときの突っ張り部２７の水平面に対する角度αは、３０度〜９０度であることが好ましく、４５度〜９０度であることがより好ましく、６０度〜９０度であることが特に好ましい。突っ張り部２７の水平面に対する角度αが９０度を超えると、着座部１０２の傾倒角度が低下してしまい、背もたれ部１０３の先端部分と遊技機２００のガラス枠２０６との間の隙間が拡大してしまう。突っ張り部２７の水平面に対する角度αが３０度より小さくなると、背もたれ部１０３の長さを長くしないと、背もたれ部１０３の先端が遊技機２００の膳板の先端よりも遊技機２００側に進入できない場合がある。
【００３８】
このとき、図１２のように背もたれ部１０３が遊技機２００のガラス枠２０６に近接又は当接する。具体的には、遊技場用椅子１の背もたれ部１０３の先端部分は、遊技機２００のガラス枠２０６との間に隙間が形成されているか、当接されている。隙間の大きさは、内枠２０５を開けて作業できない程度の大きさとなっており、具体的には、ガラス枠２０６の前面からの距離Ｌは、１５ｃｍ〜０ｃｍとなっており、１０ｃｍ以下であることが好ましく、当接していることが特に好ましい。
また、固定姿勢から腰掛け姿勢に変更する際には、ホールコンピューター３４又はリモコン４０を操作し、モーター１８を逆回転させ、姿勢を変更する。
【００３９】
具体的には、ホールコンピューター３４又はリモコン４０を操作する。ホールコンピューター３４又はリモコン４０から、腰掛け姿勢への変更の指令が発せられると、モーター１８が駆動し、モーター軸部２１が逆回転する。
そして、軸受け部２６は、その回転に合わせて、モーター軸部２１の溝２２に沿ってモーター１８と離反する方向に移動する（図９（ｃ）→図９（ｂ）→図９（ａ））。このとき、幅方向ｗの動きを規制されているため、軸受け部２６の姿勢は変わらず、底面部１２に立設した姿勢のまま、平行移動する。そして、軸受け部２６の移動に伴って、突っ張り部２７の水平面に対する角度αが小さくなっていく。即ち、軸受け部２６の移動に伴い、突っ張り部２７が徐々に水平方向に倒れていく（図１０（ｃ）→図１０（ｂ）→図１０（ａ））。
そして、軸受け部２６が側壁部１５ｂに近づき、スイッチ部２５に接触すると、ホールコンピューター３４に信号が送信され、モーター１８の駆動を停止する。このとき、遊技場用椅子１は、腰掛け姿勢をとる（図４）。
【００４０】
本発明の遊技場用椅子１によれば、軸受け部２６の係合孔２８の溝３０とモーター軸部２１の溝２２が螺合しているため、自止まりにより、軸受け部２６の位置が拘持可能となっている。即ち、モーター１８の回転によって、遊技場用椅子１を各姿勢に拘持できる。
【００４１】
また、本発明の遊技場用椅子１によれば、背もたれ部１０３の上面が、遊技機２００に近接し、ガラス枠２０６の開閉を規制するため、不正者が不正ロムを取り付け作業することを防止することができる。また、遊技場用椅子１が傾倒しているため、ロック状態であることを視認できる。
【００４２】
以下に、第２実施形態にかかる遊技場用椅子５０について説明する。
第２実施形態にかかる遊技場用椅子５０は、所謂ラックアンドピニオン機構を採用している。具体的には、遊技場用椅子５０の姿勢維持部５６は、図１３のように筐体部５７と、蓋部５８と、筐体部５７の内部に配されるモーター部６０と、ラック部５２とを有する。
筐体部５７の底面部６２には、部材厚方向に貫通した貫通孔５５を有している。貫通孔５５は略長方形状に開口を有しており、内部にラック部５２を挿通可能となっている。
ピニオン部５１は、円板状の部材であり、中心から外側方向に向かって突出した歯部５３を有しており、歯部５３は、周方向全体に亘って設けられている。モーター部６０は、モーター１８、ピニオン部５１、回転軸５９によって構成されている。
ラック部５２は、長尺状の棒状体であり、側面に歯部５４を有している。歯部５４は、図１４のようにラック部５２の長手方向Ｌ１に直交する方向に突出した部位であり、長手方向全体に亘って設けられている。
【００４３】
続いて、各姿勢における遊技場用椅子５０の各部材の位置関係、特に姿勢維持部５６の位置関係について、主に図１５を参照しながら説明する。
説明の都合上、まず腰掛け姿勢について説明する。
腰掛け姿勢において、ラック部５２の歯部５４とピニオン部５１の歯部５３が係合している。
モーター１８の回転軸５９は、遊技場床面固定部３に対して直交する方向に向いている。筐体部５７と蓋部５８はヒンジ部２０を介して接続されている。
【００４４】
次に、固定姿勢について、一般的な使用手順に沿って説明する。
ホールコンピューター３４又はリモコン４０を操作する。ホールコンピューター３４又はリモコン４０から、固定姿勢への変更の指令が発せられると、モーター１８が駆動し、回転軸５９が回転する。それに伴い、ピニオン部５１も回転する。そして、ラック部５２は、ピニオン部５１の回転に合わせて、上昇する。
このとき、ラック部５２は、蓋部５８と一体化しているため、蓋部５８は、ラック部５２によって押し上げられ、ヒンジ部２０を支点として周方向に回動する。即ち、着座部１０２は、遊技場の床面に対して相対的に傾倒する。
【００４５】
本発明の遊技場用椅子５０によれば、モーター１８のサーボロックによって、遊技場用椅子１を各姿勢に拘持できる。
【００４６】
以下に第３実施形態にかかる遊技場用椅子８０について説明する。
第３実施形態にかかる遊技場用椅子８０は、所謂ウォームギア機構を採用している。具体的には、遊技場用椅子８０の姿勢維持部８６は、図１７のように筐体部８５と、筐体部８５の内部に配されるモーター部９０と、着座固定部５と接続される斜歯歯車状のウォームホイール部８２を有する。
モーター部９０は、モーター１８と、モーター１８の回転軸５９に接続されたウォーム部８１によって構成されている。
ウォーム部８１は、ねじ歯車状の部材である。
ウォームホイール部８２の中心にはウォームホイール部８２の回転軸方向に突出した接続部８３を有している。接続部８３は、着座固定部５と連続して一体となっている。
【００４７】
続いて、各姿勢における遊技場用椅子８０の各部材の位置関係、特に姿勢維持部６の位置関係について、主に図１６，１７を参照しながら説明する。
説明の都合上、まず腰掛け姿勢について説明する。
モーター１８の回転軸５９は、水平面に対して垂直方向に向いている。
ホールコンピューター３４又はリモコン４０から固定姿勢に変更する指令が発信されると、モーター１８が駆動し、モーター１８の回転軸５９と一体となって、ウォーム部８１が回転する。そして、ウォーム部８１が回転すると、ウォーム部８１と係合しているウォームホイール部８２も回転する。また、それに付随して、接続部８３が回転し、着座固定部５が図１７の矢印の方向に傾倒する。即ち、モーター１８の回転に伴い、着座部１０２が遊技場の床面に対して、傾倒する。言い換えるとモーター１８の回転に伴い、背もたれ部１０３は、遊技機２００のガラス枠２０６に近接又は当接する。
【００４８】
上記した実施形態では、遊技場床面固定部３に対して、着座固定部５を傾倒させることによって、背もたれ部１０３を遊技機２００のガラス枠２０６に近接又は当接させたが、本発明はこれに限定されるものではなく、脚部２に対して着座部１０２を傾倒させることによって背もたれ部１０３を遊技機２００のガラス枠２０６に近接又は当接させてもよい。
【符号の説明】
【００４９】
１  遊技場用椅子
２  脚部
３  遊技場床面固定部
５  着座固定部
６，５６，８６  姿勢維持部
２００  遊技機
１０２  着座部
１０３  背もたれ部
【図１】
2013111101.tif 000003
【図２】
2013111101.tif 000004
【図３】
2013111101.tif 000005
【図４】
2013111101.tif 000006
【図５】
2013111101.tif 000007
【図６】
2013111101.tif 000008
【図７】
2013111101.tif 000009
【図８】
2013111101.tif 000010
【図９】
2013111101.tif 000011
【図１０】
2013111101.tif 000012
【図１１】
2013111101.tif 000013
【図１２】
2013111101.tif 000014
【図１３】
2013111101.tif 000015
【図１４】
2013111101.tif 000016
【図１５】
2013111101.tif 000017
【図１６】
2013111101.tif 000018
【図１７】
2013111101.tif 000019